(57)【要約】【課題】  幼児が使用するのに適し、幼児の発達段階に合った好奇心の高揚や躾けの涵養にも効果的な幼児用ほうき及び幼児用掃除具を提供する。【解決手段】  ほうき１の柄２の先端部に、カバー部３が取り付けられ、該カバー部３に、該カバー部３により覆われるようにして、ほうき１の穂４の根元部分が束ねられて固定されており、幼児が使用するのに適するように、小さい寸法と軽い重量とを有する幼児用ほうき１において、カバー部３の内部に、空洞部３ｂが設けられ、該空洞部３ｂに、複数個の鈴５が転動自在に収容されている。空洞部３ｂは、少なくとも部分的に外部から透視することができるようにされている。カバー部３の外表面には、キャラクター、花柄、星柄などの絵模様６が施されている。幼児用ほうき１と、幼児用ちり取りとが組み合わせられて、幼児用掃除具が構成されている。【選択図】      図１
0003120497.tif 000002
【実用新案登録請求の範囲】
【請求項１】
ほうきの柄の先端部に、カバー部が取り付けられ、
前記カバー部に、前記カバー部により覆われるようにして、前記ほうきの穂の根元部分が束ねられて固定されており、
幼児が使用するのに適するように、小さい寸法と軽い重量とを有する
幼児用ほうきにおいて、
前記カバー部の内部に、空洞部が設けられ、
前記空洞部に、複数個の鈴が転動自在に収容されている
ことを特徴とする幼児用ほうき。
【請求項２】
前記空洞部は、少なくとも部分的に外部から透視することができるようにされていることを特徴とする請求項１に記載の幼児用ほうき。
【請求項３】
ほうきの柄の先端部に、カバー部が取り付けられ、
前記カバー部に、前記カバー部により覆われるようにして、前記ほうきの穂の根元部分が束ねられて固定されており、
幼児が使用するのに適するように、小さい寸法と軽い重量とを有する
幼児用ほうきにおいて、
前記柄の先端部に、空洞部が設けられ、
前記空洞部に、複数個の鈴が転動自在に収容されている
ことを特徴とする幼児用ほうき。
【請求項４】
前記柄は、その両端が閉塞された円筒状のロッドから成り、
前記空洞部は、前記ロッドの先端部の所定長部分に区画形成されている
ことを特徴とする請求項３に記載の幼児用ほうき。
【請求項５】
前記カバー部の外表面には、キャラクター、花柄、星柄などの絵模様が施されていることを特徴とする請求項１ないし請求項４のいずれかに記載の幼児用ほうき。
【請求項６】
前記柄の基端部には、幼児の好む音声を発することができる音声発生手段が埋め込まれていることを特徴とする請求項１ないし請求項５のいずれかに記載の幼児用ほうき。
【請求項７】
ほうきの柄の先端部に、カバー部が取り付けられ、
前記カバー部に、前記カバー部により覆われるようにして、前記ほうきの穂の根元部分が束ねられて固定されており、
幼児が使用するのに適するように、小さい寸法と軽い重量とを有する
幼児用ほうきにおいて、
前記柄の基端部には、幼児の好む音声を発することができる音声発生手段が埋め込まれている
ことを特徴とする幼児用ほうき。
【請求項８】
請求項１ないし請求項７のいずれかに記載の幼児用ほうきと、
幼児が使用するのに適するように、小さい寸法と軽い重量とを有する幼児用ちり取りとが組み合わせられて成る幼児用掃除具において、
前記幼児用ちり取りは、その角部や折曲部の略全部に丸みが付与されているとともに、その全面もしくは略全面に彩色が施されている
ことを特徴とする幼児用掃除具。
【考案の詳細な説明】
【技術分野】
【０００１】
本願の考案は、幼児用ほうき及び幼児用掃除具に関し、特に幼児が使用するのに適し、幼児の発達段階に合った好奇心の高揚や躾けの涵養にも効果的な幼児用ほうき及び幼児用掃除具に関する。
【背景技術】
【０００２】
幼児、特に孫と過ごしていると、彼等が日々の生活の中で吸収して行くものの多さや早さに驚き、感心することが多い。何か１つでもできるようになって喜んでいる幼児の顔を見て、大人が一緒に喜び合う瞬間は、何とも言えない幸せを感じるものである。
【０００３】
大人が、庭ほうきを持って庭の掃除をしていると、幼児は何をしていても、必ず寄って来て、それを取り上げ、同じ動作をしたがる。自分自身の子育ての時には、「時間が掛かるから」と内心思いつつ、何とかなだめて早々に掃除を済ませていたものが、年老いると、孫の様子を見ていて気が付くものである。幼児にとって、従来、市販されている大人の使う一般的なほうきは、長過ぎる、重過ぎる、色などがシンプル過ぎる、のである（図７参照）。
【０００４】
掃く時にかがむと、自分の身長とさほど変わらなくなる長さのほうきを一生懸命に使う幼児の姿も、何とも愛らしいものであるが、小さくて、軽くて、楽しくて、可愛いほうきがあれば、幼児は、今よりももっと楽しく、スムーズに掃除をすることができるであろう。また、「楽しい」というメリットだけではなく、小さい時から、ごみを掃く、集めるなどの動作を自然に学ぶことができ、家庭の躾けにも役立つと考えられる。幼児が、彼等に適したそのようなほうきを使って、掃除を上手にすることができるようになった時、「すごいね」、「良くできたね」等の褒め言葉を掛けてやれたら、幼児にとっても、心の成長の一助となるであろう。
【０００５】
このような幼児の行動は、殆どの幼児に一般的に見られる現象であって、広く幼児達を見ていても、同様の行動を観察することができる。また、「ほうきで掃く」という行動だけではなく、携帯電話を使うことや、車の運転動作、料理など、生活のあらゆる面で、幼児は、大人の真似をしたがる。児童心理学の発達理論からも、幼児が大人の真似をしたがる時期があると言われている。
【０００６】
「学ぶことは、まねぶことである。」とよく言われるが、幼児の成長にとって、大人の真似をすることが非常に大切なことであることは、経験からも、十分に理解できるところである。幼児は、大人の真似を繰り返すことで、それを身に付け、自信を付けて行くものである。
【０００７】
今回の創案に係るほうきに関して言えば、身近な大人がしている「掃く」という動作が、幼児にとって「楽しそう」に写り、「真似してみたい」と感じるのであろう。また、ほうきで掃くとごみが集まり、周辺が綺麗になることが、子供ながらに「すごい」とか、「うれしい」といった気持ちになるものと考えられる。
【０００８】
従来、部屋の隅、サッシの溝、ベランダの排水溝等、通常のほうきが入りにくい個所の掃除用に、小型で、融通性の高い掃除具が種々市販されている。しかしながら、これらのものは、いずれも大人が使うことを前提として製作されており、幼児が使うのに適した大きさのものであるとは言えても、特に幼児用に工夫されたものではなく、幼児の発達段階に合った幼児の好奇心や躾け、情操等を高揚させ、涵養する上で効果的なものとはなっていない。
【０００９】
また、柄の下端に、適当な太さの多数本の耐磨耗性の線材を挟み付ける挟み具（カバーに相当）を取り付け、該挟み具に挟み付けられた多数本の線材の先端を適当な間隔に開くようにして成るほうきも提案されている（特許文献２）。このものは、これにより、土砂粒を掃き込むことなく、ごみのみを掃くことができるようにし、全体の重さも極力軽量に製作できるようにして、年寄りや子供にも取り扱い易くするなどの工夫がなされているが、特に年寄りや子供に対して、それ以上に工夫がなされたものではない。
【特許文献１】特開平１０−３１４０９３号公報
【特許文献２】実開平０６−０３８８５４号公報
【考案の開示】
【考案が解決しようとする課題】
【００１０】
本願の考案は、従来のほうき及び掃除具が有する前記のような問題点を解決して、特に幼児が使用するのに適し、幼児の発達段階に合った好奇心の高揚や躾けの涵養にも効果的な幼児用ほうき及び幼児用掃除具を提供することを課題とする。
【課題を解決するための手段】
【００１１】
前記のような課題は、本願の各請求項に記載された次のような考案により解決される。  すなわち、その請求項１に記載された考案は、ほうきの柄の先端部に、カバー部が取り付けられ、前記カバー部に、前記カバー部により覆われるようにして、前記ほうきの穂の根元部分が束ねられて固定されており、幼児が使用するのに適するように、小さい寸法と軽い重量とを有する幼児用ほうきにおいて、前記カバー部の内部に、空洞部が設けられ、前記空洞部に、複数個の鈴が転動自在に収容されていることを特徴とする幼児用ほうきである。
【００１２】
請求項１に記載された考案は、前記のように構成されており、幼児が使用するのに適するように、小さい寸法と軽い重量とを有する幼児用ほうきにおいて、そのカバー部の内部の空洞部に複数個の鈴が転動自在に収容されているので、幼児がこれを使って掃く時には、それらの鈴が鳴って、「掃く」という行為を幼児にとって一層楽しいものにし、その行為への幼児の好奇心を一層高めることができる。これにより、幼児が使用するのに適していて、使い易く、幼児の発達段階に合った好奇心の高揚や躾けの涵養にも効果的な幼児用ほうきを提供することができる。
【００１３】
また、その請求項２に記載された考案は、請求項１に記載の幼児用ほうきにおいて、その空洞部が、少なくとも部分的に外部から透視することができるようにされていることを特徴としている。
【００１４】
請求項２に記載された考案は、この構成により、そのほうきの玩具としての効果を高め、「掃く」という行為を幼児にとってさらに楽しいものにし、その行為への幼児の好奇心をさらに高めることができる。
【００１５】
また、その請求項３に記載された考案は、ほうきの柄の先端部に、カバー部が取り付けられ、前記カバー部に、前記カバー部により覆われるようにして、前記ほうきの穂の根元部分が束ねられて固定されており、幼児が使用するのに適するように、小さい寸法と軽い重量とを有する幼児用ほうきにおいて、前記柄の先端部に、空洞部が設けられ、前記空洞部に、複数個の鈴が転動自在に収容されていることを特徴とする幼児用ほうきである。
【００１６】
請求項３に記載された考案は、前記のように構成されているので、請求項１に記載された考案が奏する前記のような効果と同様の効果を奏することができる。
【００１７】
さらに、その請求項４に記載された考案は、請求項３に記載の幼児用ほうきにおいて、その柄が、両端が閉塞された円筒状のロッドから成り、その空洞部が、該ロッドの先端部の所定長部分に区画形成されていることを特徴としている。
【００１８】
請求項４に記載された考案は、この構成により、複数個の鈴を転動自在に収容するための空洞部の形成がきわめて容易になる。
【００１９】
また、その請求項５に記載された考案は、請求項１ないし請求項４のいずれかに記載の幼児用ほうきにおいて、そのカバー部の外表面には、キャラクター、花柄、星柄などの絵模様が施されていることを特徴としている。
【００２０】
請求項５に記載された考案は、この構成により、そのほうきの玩具としての効果をさらに高め、「掃く」という行為を幼児にとってさらに楽しいものにし、その行為への幼児の好奇心をさらに高めることができる。
【００２１】
また、その請求項６に記載された考案は、請求項１ないし請求項５のいずれかに記載の幼児用ほうきにおいて、その柄の基端部には、幼児の好む音声を発することができる音声発生手段が埋め込まれていることを特徴としている。
【００２２】
請求項６に記載された考案は、この構成により、そのほうきの玩具としての効果をさらに高め、その音声発生手段が発する音声を聞きながら掃くことによって、「掃く」という行為を幼児にとってさらに楽しいものにし、その行為への幼児の好奇心をさらに高めることが可能になる。
【００２３】
さらに、その請求項７に記載された考案は、ほうきの柄の先端部に、カバー部が取り付けられ、前記カバー部に、前記カバー部により覆われるようにして、前記ほうきの穂の根元部分が束ねられて固定されており、幼児が使用するのに適するように、小さい寸法と軽い重量とを有する幼児用ほうきにおいて、前記柄の基端部には、幼児の好む音声を発することができる音声発生手段が埋め込まれていることを特徴とする幼児用ほうきである。
【００２４】
請求項７に記載された考案は、前記のように構成されており、幼児が使用するのに適するように、小さい寸法と軽い重量とを有する幼児用ほうきにおいて、その柄の基端部に幼児の好む音声を発することができる音声発生手段が埋め込まれているので、幼児がこれを使って掃く時には、その音声発生手段が発する音声を聞きながら掃くことによって、「掃く」という行為を幼児にとって一層楽しいものにし、その行為への幼児の好奇心を一層高めることができる。これにより、幼児が使用するのに適していて、使い易く、幼児の発達段階に合った好奇心の高揚や躾けの涵養にも効果的な幼児用ほうきを提供することができる。
【００２５】
また、その請求項８に記載された考案は、請求項１ないし請求項７のいずれかに記載の幼児用ほうきと、幼児が使用するのに適するように、小さい寸法と軽い重量とを有する幼児用ちり取りとが組み合わせられて成る幼児用掃除具において、前記幼児用ちり取りは、その角部や折曲部の略全部に丸みが付与されているとともに、その全面もしくは略全面に彩色が施されていることを特徴とする幼児用掃除具である。
【００２６】
請求項８に記載された考案は、前記のように構成されているので、幼児が使用するのに適していて、使い易く、幼児の発達段階に合った好奇心の高揚や躾けの涵養にも効果的な、幼児用掃除具を提供することができる。
【考案の効果】
【００２７】
前記のとおり、本願の考案の幼児用ほうきによれば、幼児が使用するのに適するように、小さい寸法と軽い重量とを有する幼児用ほうきにおいて、そのカバー部の内部の空洞部もしくは柄の先端部の空洞部に、複数個の鈴が転動自在に収容されているので、幼児がこれを使って掃く時には、それらの鈴が鳴って、「掃く」という行為を幼児にとって一層楽しいものにし、その行為への幼児の好奇心を一層高めることができる。これにより、幼児が使用するのに適していて、使い易く、幼児の発達段階に合った好奇心の高揚や躾けの涵養にも効果的な幼児用ほうきを提供することができる。
【００２８】
また、そのカバー部の内部の空洞部を少なくとも部分的に外部から透視することができるようにしたり、そのカバー部の外表面にキャラクター、花柄、星柄などの絵模様を施したり、その柄の基端部に幼児の好む音声を発することができる音声発生手段を埋め込んだりすることによって、そのほうきの玩具としての効果をさらに高め、「掃く」という行為を幼児にとってさらに楽しいものにし、その行為への幼児の好奇心をさらに高めることが可能になる。
【００２９】
さらに、その幼児用ほうきと、幼児が使用するのに適するように小さい寸法と軽い重量とを有する幼児用ちり取りとを組み合わせて幼児用掃除具を構成し、その幼児用ちり取りは、その角部や折曲部の略全部に丸みが付与されているとともに、その全面もしくは略全面に彩色が施されているものとされる場合には、幼児が使用するのに適していて、使い易く、幼児の発達段階に合った好奇心の高揚や躾けの涵養にも効果的な幼児用掃除具を提供することができる。
その他、前記したような種々の効果を奏することができる。
【考案を実施するための最良の形態】
【００３０】
ほうきの柄の先端部に、カバー部が取り付けられ、該カバー部に、該カバー部により覆われるようにして、ほうきの穂の根元部分が束ねられて固定されており、幼児が使用するのに適するように、小さい寸法と軽い重量とを有する幼児用ほうきにおいて、そのカバー部の内部に、空洞部を設け、該空洞部に、複数個の鈴を転動自在に収容する。空洞部は、少なくとも部分的に外部から透視することができるようにするとともに、カバー部の外表面には、キャラクター、花柄、星柄などの絵模様を施すこととする。
【００３１】
前記ほうきと、幼児用ちり取りとを組み合わせて、幼児用掃除具を構成する。該幼児用ちり取りは、幼児が使用するのに適するように、小さい寸法と軽い重量とを有し、その角部や折曲部の略全部に丸みが付与されているとともに、その全面もしくは略全面に彩色が施されているものとする。
【実施例１】
【００３２】
次に、本願の考案の一実施例（実施例１）について説明する。
図１は、本実施例１の幼児用ほうきの正面図、図２は、図１において、同幼児用ほうきのカバー部の表半体を除去して内部を見た図、図３は、図１の右側面図であって、一部を断面にして示す図である。
【００３３】
本実施例１の幼児用ほうき１は、図１及び図２に図示されるように、柄(もち手)２の先端部に、カバー部３が取り付けられ、該カバー部３に、該カバー部３により覆われるようにして、穂４の根元部分が束ねられて固定されている。柄２は、円筒状の細長いロッドから成り、カバー部３は、正面視略半長円形状の偏平な表半体と裏半体とが向かい合わせで接合されて成り、その下方部は、穂４の根元部分を束ねて固定する穂押え部分３ａとなっている。この穂押え部分３ａより上方部分は、図３に図示されるように、わずかに両側方にそれぞれ膨出させられていて、その膨出させられて形成された内部の空洞部３ｂには、適数個の鈴５が転動自在に収容されている。なお、穂押え部分３ａより上方部分の中心部には、柄２の先端部が挿入されて嵌着される骨柱部３ｃが形成されていて、空洞部３ｂは、この骨柱部３ｃにより左右に二分されている。
【００３４】
柄２、カバー部３は、プラスチック製であり、穂４は、竹、シダ、動物の毛等の天然材料を用いて製作されるか、プラスチック製である。穂４の根元部分は、偏平に束ねられた後、糊付けされて固化され、さらに、耐水性に優れた、襞により縁取りされたシート状体４ａ（ビニールシート等から成る。図２参照。）によりくるまれて、ホッチキス止めされ、カバー部３の穂押え部分３ａにより覆われて挟持されている。ほうき１の大きさは、幼児が使用するのに適するように、小さい寸法にされ、全長約５０ｃｍ程度である。また、その重さは、各部品に軽量な材料が使用されることにより、適度に軽くされている。
【００３５】
鈴５は、揺することにより、快い音を発するもので、市販されている通常のもので良い。したがって、幼児が、このほうき１を使って、ごみを掃く動作をする時には、これら複数個の鈴５が空洞部３ｂ内で転動して、リンリンと快い音を発する。これにより、幼児は、このほうき１を使って、楽しく掃除をすることができ、「掃く」という行為への好奇心を一層高めることができる。
【００３６】
空洞部３ｂは、その内部に収容された鈴５を外部から見ることができるように、少なくとも、その空洞部３ｂを覆うカバー部３の表裏半体の各一部がそれぞれ透明にされていることが望ましい。また、そのカバー部３の外表面には、キャラクター、花柄、星柄などの絵模様６が施されていることが望ましい。このようにすることにより、ほうき１の玩具としての効果を高め、「掃く」という行為を幼児にとってさらに楽しいものにし、その行為への幼児の好奇心をさらに高めることができる。
【００３７】
このような幼児用ほうき１には、図６に図示されるような、幼児用ちり取り１０が組み合わされて、幼児用掃除具が構成される。
この幼児用ちり取り１０は、幼児が使用するのに適するように、小さい寸法と軽い重量とを有するものとして形成されており、特にその特徴として、その折曲部や角部の略全部ａ〜ｌに丸みが付与されるとともに、その全面もしくは略全面に彩色が施されてカラフルなものとされている。なお、その外表面にキャラクター、花柄、星柄などの絵模様が施されれば、なお望ましい。この幼児用ちり取り１０の寸法は、大略縦１３ｃｍ、横１８ｃｍ、高さ２０ｃｍ程度である
【００３８】
本実施例１の幼児用ほうき１及び幼児用掃除具は、前記のように構成されているので、次のような効果を奏することができる。
幼児が使用するのに適するように、小さい寸法と軽い重量とを有する幼児用ほうき１において、そのカバー部３の内部の空洞部３ｂに複数個の鈴５が転動自在に収容されているので、幼児がこれを使って掃く時には、それらの鈴５が鳴って、「掃く」という行為を幼児にとって一層楽しいものにし、その行為への幼児の好奇心を一層高めることができる。これにより、幼児が使用するのに適していて、使い易く、幼児の発達段階に合った好奇心の高揚や躾けの涵養にも効果的な幼児用ほうきを提供することができる。
【００３９】
また、その空洞部３ｂは、少なくとも部分的に外部から透視することができるようにされていて、その内部に収容された鈴５を目視することができ、しかも、そのカバー部３の外表面には、キャラクター、花柄、星柄などの絵模様６が施されているので、そのほうき１の玩具としての効果を高め、「掃く」という行為を幼児にとってさらに楽しいものにし、その行為への幼児の好奇心をさらに高めることができる。
【００４０】
また、前記のような幼児用ほうき１と幼児用ちり取り１０とが組み合わせられて成る幼児用掃除具において、幼児用ちり取り１０は、その角部や折曲部の略全部ａ〜ｌに丸みが付与されるとともに、その全面もしくは略全面に彩色が施されているので、幼児が使用するのに適していて、使い易く、幼児の発達段階に合った好奇心の高揚や躾けの涵養にも効果的な、幼児用掃除具を提供することができる。
【００４１】
以上のとおり、本実施例１の幼児用ほうき１は、幼児がこれを使用して掃く動作をすれば、リンリンと鈴の音がするほうきであり、小さくて、軽くて、楽しくて、可愛いほうきである。したがって、一戸建てはもとより、ベランダのあるマンションでも、多くの家庭で、多くの幼児達が利用可能なものである。
【実施例２】
【００４２】
次に、本願の考案の他の実施例（実施例２）について説明する。
図４は、本実施例２の幼児用ほうきの正面図、図５は、図４の右側面図であって、一部を断面にして示す図である。
【００４３】
本実施例２の幼児用ほうき１は、実施例１の幼児用ほうき１と比較すると、次の２点において異なっている。
すなわち、先ず、鈴５の収容個所につき、実施例１の幼児用ほうき１においては、カバー部３の内部に、空洞部３ｂが設けられ、該空洞部３ｂに、複数個の鈴５が転動自在に収容されていたのに対して、本実施例２の幼児用ほうき１においては、図４及び図５に図示されるように、円筒状のロッドから成る柄２の先端部の所定長部分（この部分は、大略カバー部３により覆われる部分である。）に、空洞部２ａが区画されて設けられており、該空洞部２ａに、複数個の鈴５が転動自在に収容されている。
【００４４】
次に、音声発生手段につき、実施例１の幼児用ほうき１においては、これが設けられていなかったが、本実施例２の幼児用ほうき１においては、図４及び図５に図示されるように、柄２の基端部２ｂに、幼児の好む音声、例えば、「ピカピカ」等の掛け声や、童謡等を発することができる音声発生手段７が埋め込まれて設けられている。なお、この音声発生手段７は、タッチ式で操作可能なものとされるのが望ましい。
【００４５】
本実施例２の幼児用ほうき１は、以上の点で実施例１の幼児用ほうき１と異なっているが、その他の点で特に異なるところはないので、詳細な説明を省略する。実施例１の幼児用ほうき１で採用された、鈴５が収容される空洞部を外部から透視することができるようにする構成及びカバー部３の外表面に施されたキャラクター、花柄、星柄などの絵模様６は、本実施例２の幼児用ほうき１においても、適宜採用されることができる。
【００４６】
本実施例２の幼児用ほうき１は、前記のように構成されているので、実施例１の幼児用ほうき１と略同様の効果を奏することができるほかに、さらに、次のような効果を奏することができる。
幼児用ほうき１において、鈴５を収容する空洞部２ａが、円筒状のロッドから成る柄２の先端部の所定長部分に区画形成されているので、複数個の鈴５を転動自在に収容するための空洞部の設置がきわめて容易になる。
【００４７】
また、柄２の基端部２ｂには、幼児の好む音声を発することができる音声発生手段７が埋め込まれているので、そのほうきの玩具としての効果をさらに高め、その音声発生手段７が発する音声を聞きながら掃くことによって、「掃く」という行為を幼児にとって一層楽しいものにし、その行為への幼児の好奇心を一層高めることができる。これにより、幼児が使用するのに適していて、使い易く、幼児の発達段階に合った好奇心の高揚や躾けの涵養にもさらに効果的な幼児用ほうきを提供することができる。
【００４８】
なお、本願の考案は、以上の実施例に限定されず、その要旨を逸脱しない範囲において、種々の変形が可能である。
例えば、本実施例１、２において、幼児用ほうき１は、その穂４の根元部分が偏平に束ねられるものとされたが、これに限定されず、丸く束ねられるものであっても、同様に実施することができる。この場合には、カバー部３は、帽子状のものとされ、適数個の鈴５を転動自在に収容するカバー部３内の空洞部３ｂは、カバー部３の内部の中央部に突設される、柄２の先端部を迎え入れる骨柱部３ｃを取り巻くようにして、その周囲に形成されることになる。
【００４９】
また、本実施例１、２において、幼児用ほうき１は、幼児がこれを使うものとされたが、これに限定されず、老人施設等において、老人がリハビリ用にこれを使うことも可能である。
さらに、音声発生手段７は、実施例２の幼児用ほうき１の柄２の基端部２ｂに適用されたが、これに限定されず、実施例１の幼児用ほうき１の同様の個所に適用されることも、もちろん可能である
【図面の簡単な説明】
【００５０】
【図１】本願の考案の一実施例（実施例１）の幼児用ほうきの正面図である。
【図２】図１において、同幼児用ほうきのカバー部の表半体を除去して内部を見た図である。
【図３】図１の右側面図であって、一部を断面にして示す図である。
【図４】本願の考案の他の実施例（実施例２）の幼児用ほうきの正面図である。
【図５】図４の右側面図であって、一部を断面にして示す図である。
【図６】本願の考案の一実施例（実施例１）の幼児用ちり取りの斜視図である。
【図７】従来の幼児用掃除具を幼児が使用している状況を示す図である。
【符号の説明】
【００５１】
１…幼児用ほうき、２…柄、２ａ…空洞部、２ｂ…基端部、３…カバー部、３ａ…穂押え部分、３ｂ…空洞部、３ｃ…骨柱部、４…穂、４ａ…布もしくは不燃紙、５…鈴、６…絵模様、７…音声発生手段、１０…幼児用ちり取り、ａ〜ｌ…角部、折曲部。
【図１】
0003120497.tif 000003
【図２】
0003120497.tif 000004
【図３】
0003120497.tif 000005
【図４】
0003120497.tif 000006
【図５】
0003120497.tif 000007
【図６】
0003120497.tif 000008
【図７】
0003120497.tif 000009